(57)【要約】【課題】装置の省スペース化を図りつつ、広い空間にわたってユーザが所望する室内環境にイオンミスト加湿装置及びイオンミスト加湿システムを提供すること。【解決手段】陰イオンを発生する陰イオン発生部１０と、陽イオンを発生する陽イオン発生部２０と、オゾンを発生するオゾン発生部３０と、ミストを発生するミスト発生部４０とを備え、ミスト発生部４０から発生したミストを第１噴射口２まで送出するミスト用ダクト５の構成として、ダクト本体５Ａにおいて側壁側邪魔板５Ｄａを左右側壁面に複数組配置し、且つ中央側邪魔板５Ｄｂをダクト内部の中央部分における正面と裏面との間に複数配置した。【選択図】図１
2013185765.tif 000002
【特許請求の範囲】
【請求項１】
陰イオンを発生する針状の陰イオン発生体を有する陰イオン発生部と、陽イオンを発生する針状の陽イオン発生体を有する陽イオン発生部と、オゾンを発生するオゾン発生部と、ミストを発生するミスト発生部とを備え、
板状部材と当該板状部材の基端部に設けられる設置部材とからなる複数の邪魔板が、中空直方体を成すダクト本体の内壁面における所定箇所に配置され、前記ミスト発生部で発生したミストを噴射口となる第１噴射口まで送出するミスト用ダクトを、装置本体内に備えたイオンミスト加湿装置であって、
前記ミスト用ダクトは、前記板状部材の先端部をダクト下流方向に向かって上昇傾斜させた状態の２枚の邪魔板を左右側壁内面に対して対称配置して構成される側壁側邪魔板を、前記左右側壁面に複数組配置し、且つ前記板状部材の先端部をダクト下流方向に向かって上昇傾斜させた状態の２枚の邪魔板を左右対称に断面略Ｖ字形状を成すように配置して構成される中央側邪魔板を、ダクト内部の中央部分における正面と裏面との間に複数配置したことを特徴とするイオンミスト加湿装置。
【請求項２】
陰イオンを発生する針状の陰イオン発生体を有する陰イオン発生部と、陽イオンを発生する針状の陽イオン発生体を有する陽イオン発生部と、オゾンを発生するオゾン発生部と、ミストを発生するミスト発生部とを備え、
板状部材と当該板状部材の基端部に設けられる設置部材とからなる複数の邪魔板が、中空直方体を成すダクト本体の内壁面における所定箇所に配置され、前記ミスト発生部で発生したミストを噴射口となる第１噴射口まで送出するミスト用ダクトを、装置本体内に備えたイオンミスト加湿装置であって、
前記ミスト用ダクトは、ダクト内部の左右側壁面から交互に延設した複数の仕切板によって迷路状に蛇行した経路を形成し、さらに前記邪魔板の先端部が前記ミストの進行方向に向かって上昇傾斜した状態で各仕切板面上に所定間隔を有して前記邪魔板を複数配置したことを特徴とするイオンミスト加湿装置。
【請求項３】
陰イオンを発生する針状の陰イオン発生体を有する陰イオン発生部と、陽イオンを発生する針状の陽イオン発生体を有する陽イオン発生部と、オゾンを発生するオゾン発生部と、ミストを発生するミスト発生部とを備え、
板状部材と当該板状部材の基端部に設けられる設置部材とからなる複数の邪魔板が、中空直方体を成すダクト本体の内壁面における所定箇所に配置され、前記ミスト発生部で発生したミストを噴射口となる第１噴射口まで送出するミスト用ダクトを、装置本体内に備えたイオンミスト加湿装置であって、
前記ミスト用ダクトは、ダクト内部の正面及び裏面から、前記板状部材の先端部が前記ミストの進行方向に向かって上昇傾斜するように交互に延設した複数の邪魔板によって迷路状に蛇行した経路が形成されたことを特徴とするイオンミスト加湿装置。
【請求項４】
前記中央側邪魔板における前記板状部材の各先端部と、対向する前記側壁側邪魔板の先端部とが装置正面からみて互い違いに配置されるように、前記中央側邪魔板と前記側壁側邪魔板とが配置されていることを特徴とする請求項１記載のイオンミスト加湿装置。
【請求項５】
前記陰イオン発生体又は前記陽イオン発生体を板状部材とし、さらに該板状部材の表面に、発生したイオンを先端から放射する錐体状の突起部を複数設けた構成とすることを特徴とする請求項１〜４の何れかに記載のイオンミスト加湿装置。
【請求項６】
前記陰イオン発生体を有する陰イオン発生部及び前記陽イオン発生体を備えた陽イオン発生部を、前記ミスト用ダクトの下流側内壁面に設けたことを特徴とする請求項５記載のイオンミスト加湿装置。
【請求項７】
請求項１〜６の何れかに記載のイオンミスト加湿装置を室内に複数設置し、前記複数のイオンミスト加湿装置のうちの何れか１つを主装置として機能させるとともに、残りの装置を副装置として機能させるべく各装置間を通信可能にネットワークを構築し、
前記主装置となるイオンミスト加湿装置は、前記室内環境を改善するための駆動条件が設定されると、前記駆動条件を満たした前記室内環境となるように、各副装置を連動駆動して個々の駆動能力を調整制御するための駆動制御情報を出力することを特徴とするイオンミスト加湿システム。
【発明の詳細な説明】
【技術分野】
【０００１】
本発明は、室内を加湿する加湿機能に加え、空気中の悪臭やタバコの臭い・煙等の臭気物質を分解・除去するとともに、空気中の浮遊細菌や汚染源に付着した細菌等を削減させることのできるイオンミスト加湿装置及びイオンミスト加湿システムに関する。
【背景技術】
【０００２】
近年、公共施設、オフィス等における禁煙が進み、屋内での喫煙は喫煙所以外では認めないビルが増える傾向にある。例えば、喫煙所内に設置される空気清浄装置は、通常、タバコの煙等の臭気物質、塵埃の他、菌、ウィルス、カビ等の汚染物質を吸着するフィルターを備え、汚染された室内の空気を装置内に取り込み、フィルターを通過させることで空気を浄化し、再度室外に放出するものである。
【０００３】
しかしながら、喫煙所で使用される空気清浄装置のフィルターは、汚れが著しいために再利用が困難であって、通常は廃棄されるので、環境保全の点で不利益が多くなるという問題があった。また、フィルターを用いる空気清浄装置は、定期的にフィルターを交換しなければならないが、公共の場所等の、大勢の利用者がいる場所で空気清浄装置を使用する場合には、短時間でフィルターの汚れや目詰まりが起きるので、フィルターの交換サイクルが短くなるだけでなく、メンテナンスが煩雑になるという問題もある。
【０００４】
さらに、このようなフィルターによる空気清浄装置は、空気中の臭気物質や細菌類等の汚染物質をフィルターに吸着させて除去するだけであり、汚染物質そのものを分解して無害なものに変換するという効果まで奏することはできない。
【０００５】
このような問題を解決する手段として、室内におけるタバコの煙等の臭気物質、浮遊細菌等を分解するとともに、空気中の塵埃を削減する空気清浄装置として、空気の吸い込み口と吹出し口の間に形成された空気流路に、オゾンを分解する触媒フィルターが設けられ、吸い込み口近辺に設けられた多孔チューブの内部にオゾンを供給するオゾン発生機構を有する空気清浄装置装置（下記特許文献１を参照）や、吸入した空気からプラズマ放電装置によって陽イオン及び陰イオンを発生させるとともに、必要に応じて加湿し、室内の臭気を除去する空気清浄機（下記特許文献２を参照）が提案されている。
【０００６】
しかしながら、特許文献１に開示される装置では、装置内の限られた空間で空気の浄化を行う装置によって、室内の空気を十分に清浄にするためには、室内の空気を十分に対流させる必要がある上、オゾン発生機構の維持管理が煩雑であるという欠点があった。また、特許文献２に開示される装置では、イオンのみによって脱臭を行わせるため、その効果は十分ではなかった。
【０００７】
そこで、本願発明者等は、上記問題を課題としてさらに清浄効果を強力にするために鋭意検討した結果、オゾンの清浄作用を併用した場合には、著しく清浄効果が増大すること、また、先に発生させたオゾンとイオンを微細な水ミストを含有する空気と混合して室内に拡散させることによって、さらに良好な結果を得ることができることを知得し、ミスト、オゾン、陰イオン及び陽イオンを個別に発生させてそれぞれ別排出する空気清浄装置（下記特許文献３を参照）を開発した。
【先行技術文献】
【特許文献】
【０００８】
【特許文献１】特開２００９−５０５２１号公報
【特許文献２】特開２００９−６６０７３号公報
【特許文献３】特開２０１１−１０４３５９号公報
【発明の概要】
【発明が解決しようとする課題】
【０００９】
しかしながら、特許文献３の装置では、ミストの微細化を行うためにミスト用のダクトが装置内を蛇行した配管構造であるため装置が大型化してしまうという問題があり、限られたスペース内に複数台設置して駆動させるために装置の小型化が望まれていた。
【００１０】
そこで、本発明は上記問題点に鑑みてなされたものであって、装置の省スペース化を図りつつ、広い空間にわたってユーザが所望する室内環境にイオンミスト加湿装置及びイオンミスト加湿システムを提供することを目的としている。
【課題を解決するための手段】
【００１１】
上記目的を達成するため、本発明の請求項１に記載されたイオンミスト加湿装置は、陰イオンを発生する針状の陰イオン発生体を有する陰イオン発生部と、陽イオンを発生する針状の陽イオン発生体を有する陽イオン発生部と、オゾンを発生するオゾン発生部と、ミストを発生するミスト発生部とを備え、
板状部材と当該板状部材の基端部に設けられる設置部材とからなる複数の邪魔板が、中空直方体を成すダクト本体の内壁面における所定箇所に配置され、前記ミスト発生部で発生したミストを噴射口となる第１噴射口まで送出するミスト用ダクトを、装置本体内に備えたイオンミスト加湿装置であって、
前記ミスト用ダクトは、前記板状部材の先端部をダクト下流方向に向かって上昇傾斜させた状態の２枚の邪魔板を左右側壁内面に対して対称配置して構成される側壁側邪魔板を、前記左右側壁面に複数組配置し、且つ前記板状部材の先端部をダクト下流方向に向かって上昇傾斜させた状態の２枚の邪魔板を左右対称に断面略Ｖ字形状を成すように配置して構成される中央側邪魔板を、ダクト内部の中央部分における正面と裏面との間に複数配置したことを特徴とする。
【００１２】
請求項２記載のイオンミスト加湿装置は、陰イオンを発生する針状の陰イオン発生体を有する陰イオン発生部と、陽イオンを発生する針状の陽イオン発生体を有する陽イオン発生部と、オゾンを発生するオゾン発生部と、ミストを発生するミスト発生部とを備え、
板状部材と当該板状部材の基端部に設けられる設置部材とからなる複数の邪魔板が、中空直方体を成すダクト本体の内壁面における所定箇所に配置され、前記ミスト発生部で発生したミストを噴射口となる第１噴射口まで送出するミスト用ダクトを、装置本体内に備えたイオンミスト加湿装置であって、
前記ミスト用ダクトは、ダクト内部の左右側壁面から交互に延設した複数の仕切板によって迷路状に蛇行した経路を形成し、さらに前記邪魔板の先端部が前記ミストの進行方向に向かって上昇傾斜した状態で各仕切板面上に所定間隔を有して前記邪魔板を複数配置したことを特徴とする。
【００１３】
請求項３記載のイオンミスト加湿装置は、陰イオンを発生する針状の陰イオン発生体を有する陰イオン発生部と、陽イオンを発生する針状の陽イオン発生体を有する陽イオン発生部と、オゾンを発生するオゾン発生部と、ミストを発生するミスト発生部とを備え、
板状部材と当該板状部材の基端部に設けられる設置部材とからなる複数の邪魔板が、中空直方体を成すダクト本体の内壁面における所定箇所に配置され、前記ミスト発生部で発生したミストを噴射口となる第１噴射口まで送出するミスト用ダクトを、装置本体内に備えたイオンミスト加湿装置であって、
前記ミスト用ダクトは、ダクト内部の正面及び裏面から、前記板状部材の先端部が前記ミストの進行方向に向かって上昇傾斜するように交互に延設した複数の邪魔板によって迷路状に蛇行した経路が形成されたことを特徴とする。
【００１４】
請求項４記載のイオンミスト加湿装置は、請求項１記載のイオンミスト加湿装置において、前記中央側邪魔板における前記板状部材の各先端部と、対向する前記側壁側邪魔板の先端部とが装置正面からみて互い違いに配置されるように、前記中央側邪魔板と前記側壁側邪魔板とが配置されていることを特徴とする。
【００１５】
請求項５記載のイオンミスト加湿装置は、請求項１〜４の何れかに記載のイオンミスト加湿装置において、前記陰イオン発生体又は前記陽イオン発生体を板状部材とし、さらに該板状部材の表面に、発生したイオンを先端から放射する錐体状の突起部を複数設けた構成とすることを特徴とする。
【００１６】
請求項６記載のイオンミスト加湿装置は、請求項５記載のイオンミスト加湿装置において、前記陰イオン発生体を有する陰イオン発生部及び前記陽イオン発生体を備えた陽イオン発生部を、前記ミスト用ダクトの下流側内壁面に設けたことを特徴とする。
【００１７】
請求項７記載のイオンミスト加湿システムは、請求項１〜６の何れかに記載のイオンミスト加湿装置を室内に複数設置し、前記複数のイオンミスト加湿装置のうちの何れか１つを主装置として機能させるとともに、残りの装置を副装置として機能させるべく各装置間を通信可能にネットワークを構築し、
前記主装置となるイオンミスト加湿装置は、前記室内環境を改善するための駆動条件が設定されると、前記駆動条件を満たした前記室内環境となるように、各副装置を連動駆動して個々の駆動能力を調整制御するための駆動制御情報を出力することを特徴とする。
【発明の効果】
【００１８】
本発明のイオンミスト加湿装置によれば、発生したミストを微細化するためにミストミスト用ダクトの送出距離を稼ぐ必要がないため、装置の小型化が図れ、設置スペースを有効に利用することができるとともに、ミスト発生部から発生したミストを従来よりも微細化させることができるので、発生した陰イオン、陽イオン及びオゾンを効率よく室内空間に噴射することができる。
【００１９】
また、本発明のイオンミスト加湿装置を複数台設置して各装置間で通信可能なネットワークを構築したイオンミスト加湿システムとすることで、広域スペースであっても個々の装置能力が主装置からの駆動制御情報に従って調整制御することができるため、効率よく室内環境を改善することができる。
【図面の簡単な説明】
【００２０】
【図１】本発明に係るイオンミスト加湿装置の装置正面を示す概略構成図である。
【図２】同装置の裏面側を示す概略構成図である。
【図３】同装置の概略断面図である。
【図４】同装置におけるミスト用ダクトの形態例１を示す概略構成図である。
【図５】同装置におけるミスト用ダクトの形態例２を示す概略構成図である。
【図６】同装置におけるミスト用ダクトの形態例３を示す概略構成図である。
【図７】（ａ）は陰イオン発生部の詳細を示す概略斜視図であり、（ｂ）は陽イオン発生部の詳細を示す概略斜視図である。
【図８】オゾン発生部の詳細を示す概略構成図である。
【図９】同装置のシステム構成を示す機能ブロック図である。
【図１０】本発明に係るイオンミスト加湿システムの概要を示す説明図である。
【図１１】陰イオン発生体及び陽イオン発生体の他の構成例を示す概略斜視図である。
【図１２】実施例に基づく試験環境の概要を示す説明図である。
【発明を実施するための形態】
【００２１】
以下、本発明を実施するための形態について、添付した図面を参照しながら詳細に説明する。なお、この実施の形態によりこの発明が限定されるものではなく、この形態に基づいて当業者等によりなされる実施可能な他の形態、実施例及び運用技術等はすべて本発明の範疇に含まれる。
【００２２】
［１．装置構成について］
まず、図１〜６を参照しながら、本発明に係るイオンミスト加湿装置の装置構成について説明する。
図１に示すように、本例のイオンミスト加湿装置１は、例えば住居、公共施設、商業施設等における室内環境の改善を目的として設置される装置であり、室内環境を改善するために、陰イオンを発生する陰イオン発生部１０と、陽イオンを発生する陽イオン発生部２０と、オゾンを発生するオゾン発生部３０と、ミストを発生させるミスト発生部４０とを有する空気清浄機構５０と、空気清浄機構５０から発生する陰イオン、陽イオン、オゾン及びミストの室内におけるイオン濃度及び湿度を検出する状態検出センサ６０と、を備えている。
【００２３】
＜１−１．装置概要＞
装置上部には、ミスト発生部４０で発生したミストとオゾン発生部３０で発生したオゾンとを室内空間に噴射する第１噴射口２が設けられており、第１噴射口２の一方の側端側（図中右側）には陰イオン発生部１０で発生した陰イオンを噴射する第２噴射口３が設けられるとともに、第１噴射口２における他方の側端側（図中左側）には、陽イオン発生部２０で発生した陽イオンを室内空間に噴射する第３噴射口４が設けられている。また、装置内部における中央部分には、装置下方にあるミスト発生部４０で発生したミストを、より微細化させた後に第１噴射口２から噴射するためのミスト用ダクト５が設けられている。
【００２４】
図２に示すように、ミスト発生部４０に水を供給する水供給機構６としては、水を貯留する水タンク６ａがミスト用ダクト５と隣接するように設けられており、給水ポンプ６ｂによって水タンク６ａから水を供給するための水供給流路６ｃが、ミスト発生部４０と水タンク６ａとの間に配設されている。なお、水タンク６ａには直接補充することができるようにしても良いが、タンク内の清掃や装置設置時の配管引き回し又は設置後の装置の移動等を考慮すると、給水時にタンク交換できるようにした構成の方が好適である。また、ミスト発生に使用する水は、通常の水道水でも問題ないが、逆浸透膜を通過させ、例えば細菌、塵等の不純物を除去することが好適であり、さらに塩基性水溶液に電子を供給する方法等によって負電化を帯びていることがより好適である。
【００２５】
図２又は図３に示すように、装置裏面における所定箇所には、オゾンを発生させるオゾン発生部３０が設けられているとともに、オゾン発生部３０で発生したオゾンを送出するためのオゾン用ダクト７が、オゾン発生部３０から第１噴射口２に向かって配設されている。
【００２６】
また、図３に示すように、発生させたミスト及び各イオンを空気導入部９から導入した空気によって噴射するための送風手段８（周知の軸流送風式ファン等）としては、空気導入口９とミスト発生部４０との間の空気導入路９ａ上に設けられ、空気導入口９ｂから取り入れた空気をミスト発生部４０に向けて送風する第１送風手段８ａと、空気導入口９ｂと第１噴射口２、第２噴射口３及び第３噴射口４との間の空気導入路９ａ上に設けられ、空気導入口９から取り入れた空気を第１噴射口２、第２噴射口３及び第３噴射口４に向けて送風する第２送風手段８ｂとで構成されている。
【００２７】
なお、第２噴射口３及び第３噴射口４は、各噴射口から噴射される陰イオン又は陽イオンが第１噴射口２から噴射したミストと混合して室内に噴射されるような位置に形成されていれば、特にその設置位置は限定されない。
【００２８】
さらに、第１噴射口２、第２噴射口３及び第３噴射口４には、ユーザが所望する室内環境に応じて噴射方向を自動可変するためのルーバー装置８ｃが設けられており、制御部１ｅからの風向制御情報に従って羽板を駆動させて陰イオン、陽イオン、オゾン及びミストの噴射方向を可変制御している。
【００２９】
＜１−２．ミスト用ダクト＞
次に、ミスト用ダクト５について説明する。本形態のミスト用ダクト５は、上流側に設けられたミスト発生部４０で発生したミストを第１噴射口２に向けて送出する中空直方体形状を成すダクト本体５Ａで構成されている。また、ダクト本体５Ａにおける内壁面の所定箇所には、発生したミストが上昇した際に衝突することで微細化させる板状部材５Ｂと、板状部材５Ｂの基端側に設けられる内壁面設置用の設置部材５Ｃとを有する邪魔板５Ｄが配置されている。
【００３０】
また、設置部材５Ｃには、直上に設置された邪魔板５Ｄからミストが集合してなる水滴をミスト発生部４０に戻すための滴下穴５Ｅが設けられており、直上の邪魔板５Ｄから滴下した水滴は、板状部材５Ｂの表面に沿って設置部材５Ｃまで流れ落ち、滴下穴５Ｅを通過してダクト下方へと滴下される。また、ミスト用ダクト５の基端側となる最上流位置には、ミスト発生部４０に向かって徐々に下降傾斜した水滴回収機構５Ｆが設けられており、各邪魔板５Ｄから滴下した水滴を回収して最終的にミスト発生部４０に戻すための流路として機能している。
【００３１】
本形態におけるミスト用ダクト５の内部構造としては、図４〜図６に示すように、形態例１〜形態例３がある。なお、各形態における邪魔板５Ｄの設置数、設置角度、設置位置等は、装置筐体の大きさや使用環境等に応じて任意に設定可能とする。
【００３２】
（形態例１）
形態例１では図４に示すように、側壁側邪魔板５Ｄａと、中央側邪魔板５Ｄｂが、ダクト本体５Ａの内壁面にそれぞれ複数設けられている。側壁側邪魔板５Ｄａは、１対の邪魔板５Ｄで構成され、邪魔板５Ｄにおける先端部がダクト下流方向に向かって上昇傾斜させた状態で、ダクト内部における左右の各側壁内面に対して対称配置となるように鉛直方向に所定間隔を有して複数組配置されている。中央側邪魔板５Ｄｂは、１対の邪魔板５Ｄで構成され、各先端部がダクト下流方向に向かって上昇傾斜させた状態で、基端部を中心に左右対称に配置した断面略Ｖ字形状を成しており、ダクト内部の中央部分における正面と裏面との間で、先端部が左右の側壁側邪魔板５Ｄａの先端部と互い違いとなるように所定間隔を有して複数組配置されている。図例では、側壁側邪魔板５Ｄａを左右の側壁内面に５組、中央側邪魔板５Ｄｂをダクト中央に５組設置し、ダクト正面からみて側壁側邪魔板５Ｄａと中央側邪魔板５Ｄｂの各先端部が互い違いとなるように配置した構成である。
【００３３】
（形態例２）
形態例２では、図５に示すように、ダクト本体５Ａの左右側壁面から交互に延設した複数の仕切板５Ｇで迷路状に蛇行した経路を形成し、邪魔板５Ｄの先端部がミストの進行方向（すなわち、ダクト下流側）に向かって上昇傾斜した状態で各仕切板５Ｇの表裏面上に所定間隔を有して複数配置した構成である。
図例では、ダクト正面からみて左側壁内面から２枚の仕切板５Ｇ、右側側壁内面から３枚の仕切板５Ｇをそれぞれ延設し、各仕切板５Ｇの表裏面上の所定位置にそれぞれ２枚ずつ邪魔板５Ｄを配置した構成である。
【００３４】
（形態例３）
形態例３では、図６に示すように、ダクト内部の正面及び裏面から先端部がミストの進行方向（すなわち、ダクト下流側）に向かって上昇傾斜するように交互に延設した複数の邪魔板５Ｄで迷路状に蛇行した経路を形成した構成である。
図例では、ダクト正面側から邪魔板５Ｄを６枚、裏面側から邪魔板５Ｄを６枚、各先端部が接触しないようにそれぞれ交互に配置した構成である。
【００３５】
上記形態例１〜３では、ミスト発生部４０から発生したミストがダクト下流側に送出される際に邪魔板５Ｄや仕切板５Ｇに衝突することで衣服等に付着した際に濡れにくい微粒子ミスト（直径が約３μｍ以下）となるため、従来装置のようにダクト構造としてミストの直径を微細化させるための経路長さを長くする必要がなく、さらに装置本体の厚みを薄くすることができる。
【００３６】
なお、形態例１〜３の構成は、例えばダクト内部中央より上流側と下流側で異なる形態を採用した構成、ダクト内部における上流、中流、下流の３箇所で上記３つの形態をそれぞれ任意に選択して採用した構成等、発生したミストが微細化される構造であれば、ダクト内部の構造として上記３つの形態を自由に組み合わせることもできる。
【００３７】
＜１−３．空気清浄機構＞
次に、空気清浄機構５０について説明する。本形態の空気清浄機構５０は、陰イオンを発生する陰イオン発生部１０と、陽イオンを発生する陽イオン発生部２０と、オゾンを発生するオゾン発生部３０と、ミストを発生させるミスト発生部４０とを備えて構成され、制御部１ｅからの発生制御情報（陰イオン発生制御情報、陽イオン発生制御情報、オゾン発生制御情報、ミスト発生制御情報）に応じて駆動制御を行っている。
【００３８】
陰イオン発生部１０は、図７に示すように、外部電源（商用電源等）から供給される一次電圧を所定の電圧レベルに可変調整して二次電圧である直流制御電圧（陰イオン発生用調整電圧）を印加する陰イオン用直流高圧電源部１１と、高圧電線を介して接続される陰イオン用高圧電源部１１から印加された陰イオン発生用調整電圧によって陰イオンを発生させ陰イオン用電極針１３から大気中に向かって連続的に陰イオンを放射する陰イオン発生体１２と、で構成されている。陰イオン発生部１０は、制御部１ｅからの陰イオン発生制御情報に従って、空間内の陰イオン量が設定値となるように陰イオン発生部１０を駆動して、適量の陰イオンを発生している。
【００３９】
陽イオン発生部２０は、陰イオン発生部１０と同構成であり、図７に示すように、外部電源（商用電源等）から供給される一次電圧を所定の電圧レベルに可変調整して二次電圧である直流制御電圧（陽イオン発生用調整電圧）を印加する陽イオン用直流高圧電源部２１と、高圧電線を介して接続される陽イオン用直流高圧電源部２１から印加された陽イオン発生用調整電圧によって陽イオンを発生させ陽イオン用電極針２３から大気中に向かって連続的に陽イオンを放射する陽イオン発生体２２と、で構成されている。陽イオン発生部２０は、制御部１ｅからの陽イオン発生制御情報に従って、空間内の陽イオン量が設定値となるように陽イオン発生部２０を駆動して、適量の陽イオンを発生している。
【００４０】
オゾン発生部３０は、図８に示すように、外部電源（商用電源等）から供給される一次電圧を所定の電圧レベルに可変調整して二次電圧である交流制御電圧（オゾン発生用調整電圧）を印加するオゾン用交流高圧電源部３１と、誘導電極部３２とオゾンを沿面に放電させる沿面放電電極部３３とが絶縁体３４を介して対極に１対配置され、高圧電線を介してオゾン用交流高圧電源部３１から誘導電極部３２に印加されたオゾン発生用調整電圧によって沿面放電電極部３３の表面から大気中にオゾンガス（プラズマ）を発生させるオゾン発生体３５とで構成され、所謂、沿面放電方式によりオゾンを発生している。オゾン発生部３０は、制御部１ｅからのオゾン発生制御情報に従って、空間内のオゾン量が設定値となるようにオゾン発生部３０を駆動して適量のオゾンを発生し、オゾン輸送ポンプ３６で第１噴射口２まで送出している。
【００４１】
なお、オゾン発生部３０は、オゾン発生方式として沿面放電方式に限定されず、コロナ放電方式、紫外線ランプ方式、無声放電方式等の周知のオゾン発生方式であればよい。また、前記何れかの発生方式を選択した場合は、各発生方式に応じたオゾン発生体３５を採用すればよい。また、オゾンの人体への影響を考慮し、室内のオゾン濃度が０．０１ｐｐｍを超えないように適宜制御する必要がある。
【００４２】
ミスト発生部４０は、水タンク６ａから供給された水を周知のミスト発生方法（超音波振動子から発生した超音波を水に当てることで微粒子化させてミストを発生する超音波式、ヒーターで水を加熱し沸騰させて蒸気化させてミストを発生する加熱式、水を含んだフィルターにファンで風を送り気化させてミストを発生する気化式、加熱した水を含んだフィルターにファンから送風して気化させたミスト又は水を含んだフィルターに電熱で温めた空気を送風して気化させたミストを発生するハイブリッド式等）によってミストを発生させている。本形態では、超音波式を採用し、制御部１ｅからミスト発生制御情報に従った駆動制御により、空間内の湿度が設定値となるように超音波振動子４１を所定周波数で振動して、適量のミストを発生している。
【００４３】
なお、ミスト発生源である超音波振動子４１の設置個数は特に限定されず、また、超音波振動子４１の駆動制御として、超音波振動子４１が１個の場合は周波数の強弱による制御、複数個の場合は各振動子の駆動又は停止の制御や周波数の強弱の制御等を任意に組み合わせることでミスト発生量を適宜制御することができる。
【００４４】
＜１−４．状態検出センサ＞
状態検出センサ６０は、空気清浄機構５０の駆動によって発生した陰イオン、陽イオン、オゾン及びミストによって変化した室内のイオン濃度及び湿度を検出するためのセンサである。本形態では、装置周辺における陰イオンのイオン濃度を検出する陰イオンセンサ６０ａと、装置周辺における陽イオンのイオン濃度を検出する陽イオンセンサ６０ｂと、装置周辺におけるオゾン濃度を検出するオゾンセンサ６０ｃと、装置周辺における湿度を検出する湿度センサ６０ｄとをそれぞれ備えている。なお、上記各センサは、何れも周知の検出センサであるため、その駆動方法や検出方法についての説明は省略する。また、状態検出センサ６０は、各センサ６０ａ〜６０ｄを個別に設置する構成の他、各センサ６０ａ〜６０ｄを具備する１つのユニット構成としてもよい。
【００４５】
＜１−５．その他の装置構成＞
さらに、イオンミスト加湿装置１は、ユーザが室内環境を所望の状態にするために駆動条件を設定する際に操作する各種操作ボタン（テンキーを含む）、ロータリーノブ、タッチパネル等で構成される操作設定部１ａと、空気清浄機構５０の駆動に際し、各部で発生した陰イオン、陽イオン、オゾン及びミストの発生状態や室内環境の状態表示（濃度や湿度毎の色別表示、検出値の数値表示、インジケータによるレベル表示等）を行う各種表示機器からなる表示部１ｂと、ミスト用の水の補給指示や装置駆動に関する異常等をユーザに通知する鳴動報知（アラームや音声案内）やＬＥＤランプ等からなる報知部１ｃと、各部を駆動するのに必要な各種駆動制御情報を記憶する記憶部１ｄと、本装置を構成する各部の駆動を統括的に制御する制御部１ｅと、を備えている。
【００４６】
［２．システム構成について］
次に、本例のイオンミスト加湿装置１におけるシステム構成について説明する。本装置では、図９に示すように、装置を構成する各部の駆動制御を制御部１ｅが担っており、記憶部１ｄに記憶される各種駆動制御情報や、ユーザが操作設定部１ａから設定した駆動条件をふまえた発生制御情報を空気清浄機構５０に出力している。
【００４７】
記憶部１ｄは、例えば磁気的、光学的記憶媒体若しくはＥＥＰＲＯＭやフラッシュメモリ等の不揮発性メモリ、ＤＲＡＭやＳＤＲＡＭ等の揮発性メモリを含む各種半導体メモリ等の記憶装置で構成され、各部を駆動するための駆動制御情報、ユーザが任意に設定した空気清浄機構５０の駆動条件（イオン又はミストの発生時間、発生量、発生時間、噴射方向等）を示す駆動条件情報を記憶している。
【００４８】
制御部１ｅは、例えばＣＰＵ等のマイクロコンピュータで構成され、状態検出センサ６０からの現在値と、ユーザによって任意に設定された駆動条件情報をふまえた設定値と、からフィードバック制御によって空気清浄機構５０の各部の操作量を算出し、この操作量で駆動するための発生制御情報（陰イオン発生制御情報、陽イオン発生制御情報、オゾン発生制御情報、ミスト発生制御情報）を各部に出力している。また、制御部１ｅは、駆動条件情報で設定された風向条件に従って陰イオン、陽イオン、オゾン及びミストの噴射方向を制御するための噴射方向制御情報を、第１噴射口２、第２噴射口３及び第３噴射口４に設置された各ルーバー装置８ｃに出力している。
【００４９】
さらに、制御部１ｅは、駆動時間や駆動タイミング等に用いられる時間を計時する計時部１ｆを備えており、ここで計時された時間に従って各構成の駆動制御を行っている。
【００５０】
［３．使用形態について］
次に、本例のイオンミスト加湿装置１の使用形態例について説明する。
本例のイオンミスト加湿装置１における使用形態の一例としては、所定スペース内に本装置を単体で設置（設置数は問わず）し、ユーザが設定した任意の駆動条件情報に従って室内環境を改善する際に使用される。
【００５１】
また、設置スペースが比較的広域である場合には、１台分の機能では満足する改善効果が得られないという問題や、複数台設置した際に同時に管理する煩雑さを解消するため、図１０に示すように、スペース内に本装置を複数台設置し、そのうちの１台を主装置として機能させ、残りの装置（１台以上）を副装置として機能させ、主装置からの駆動制御情報に従って副装置が駆動制御するようなシステムを構築することができる。
【００５２】
図示のように、主装置と複数の副装置との間は無線又は有線によって通信可能にネットワーク接続されている。主装置には、ユーザが任意に設定した駆動条件情報が記憶されており、主装置及び副装置で検出した現在値と、ユーザによって任意に設定された駆動条件情報をふまえた設定値と、からフィードバック制御によって主装置及び副装置における空気清浄機構５０の各部の操作量を算出し、この操作量で駆動するための発生制御情報（陰イオン発生制御情報、陽イオン発生制御情報、オゾン発生制御情報、ミスト発生制御情報）を駆動制御情報として副装置に出力している。これにより、副装置は、主装置に設定された駆動条件情報を満たした室内環境となるように、副装置個々の駆動能力が調整制御される。
【００５３】
これにより、広域スペースにおいてユーザが所望する室内環境に改善するため、スペース内に設置した主装置及び副装置による陰イオン、陽イオン、オゾン及びミストの発生量を調整制御しながら室内環境を効率よく改善することができる。
【００５４】
なお、副装置としては、少なくとも状態検出センサ６０を備えた上で、使用環境に応じて陰イオン発生部１０、陽イオン発生部２０、オゾン発生部３０及びミスト発生部４０のうち不要な構成を排除した構成とすれば、広域スペースであっても、室内全体の環境を把握しつつ、必要な構成のみを駆動制御して環境改善することができる。
【００５５】
また、主装置及び副装置の決定は、ユーザが管理しやすい装置を任意に選択設定する他、予め主装置又は副装置としての機能を搭載した装置を使用してもよい。
【００５６】
さらに、例えば商業オフィスや学習塾のように１つのテナントで複数の部屋を使用するような場合では、部屋毎に上記のような小規模なシステムを組み、これら小規模なシステムを一括管理する統括管理端末（ＰＣ等）とそれぞれのシステムとを通信可能に接続することで、各部屋の室内環境が管理可能な集中管理システムを構築することもできる。
【００５７】
以上説明したように、上述したイオンミスト加湿装置１は、陰イオンを発生する陰イオン発生部１０と、陽イオンを発生する陽イオン発生部２０と、オゾンを発生するオゾン発生部３０と、ミストを発生するミスト発生部４０とを備え、ミスト発生部４０から発生したミストを第１噴射口２まで送出するミスト用ダクト５の構成として、（１）ダクト本体５Ａにおいて側壁側邪魔板５Ｄａを左右側壁面に複数組配置し、且つ中央側邪魔板５Ｄｂをダクト内部の中央部分における正面と裏面との間に複数配置した構成、（２）ダクト内部の左右側壁面から交互に延設した複数の仕切板５Ｇによって迷路状に蛇行した経路を形成し、さらに邪魔板５Ｄの先端部がミストの進行方向に向かって上昇傾斜した状態で各仕切板５Ｇ面上に所定間隔を有して邪魔板５Ｄを複数配置した構成、（３）ダクト内部の正面及び裏面から、板状部材５Ｂの先端部がミストの進行方向に向かって上昇傾斜するように交互に延設した複数の邪魔板５Ｄによって迷路状に蛇行した経路が形成された構成、の何れかを採用し、予め設定された駆動条件情報に従って、空気清浄機構５０を駆動制御している。
【００５８】
このため、発生したミストを微細化するためにミストミスト用ダクト５の送出距離を稼ぐ必要がないため、装置の小型化が図れ、設置スペースが狭い場合であっても設置することができる。また、ミスト発生部４０から発生したミストを従来よりも微細化させることができるので、発生した陰イオン、陽イオン及びオゾンを効率よく室内空間に噴射することができる。
【００５９】
さらに、イオンミスト加湿装置１を複数台設置して各装置間で通信可能なネットワークを構築したイオンミスト加湿システムとすることで、広域スペースであっても個々の装置能力が主装置からの駆動制御情報に従って調整制御することができるため、効率よく室内環境を改善することができる。
【００６０】
ところで、上述した形態では、陰イオン発生部１０を第２噴射口３近傍に、陽イオン発生部２０を第３噴射口４近傍にそれぞれ配設した例で説明したが、これに限定されることはない。例えば、陰イオン発生部１０及び陽イオン発生部２０の他の形態として説明した板状のイオン発生部をミスト用ダクト５の出口付近に設置することで、ミストと同経路で室内に噴射する構成とすることもできる。その際、第２噴射口３及び第３噴射口４は不要となり、その設置位置まで第１噴射口２を拡開することで各イオン、オゾン及びミストを満遍なく効率的に行き渡らせることができる。
【００６１】
また、陰イオン発生体１２及び陽イオン発生体２２の他の構成例としては、陰イオン用電極針１３及び陽イオン用電極針２３を使用せず、図１１に示すように、上述したイオン発生体を板状部材とし、さらにその表面側に、陰イオン陽電極針１３及び陽イオン陽電極針２３の代わりとして、発生したイオンを先端から放射する錐体状の突起部２４を複数設けた構成とすることもできる。
【００６２】
なお、突起部２４の長さや設置数は、作製するイオンミスト加湿装置１の装置構成や使用環境等に応じて設計時に適宜選択可能である。さらに、上記構成の陰イオン発生体１２及び陽イオン発生体２３の設置位置としては、上述した形態の通り、各イオンとミストを噴出後に混合する場合はそれぞれ独立して設置する構成の他、ミストと陰イオン及び陽イオンとが混合された状態で噴射する場合は、ミスト用ダクト５の下流側内壁面にそれぞれ設置する構成としてもよい。
【００６３】
［４．実施例について］
次に、本例のイオンミスト加湿装置１における実施例について具体的に説明する。なお、下記実施例は本発明を限定するものではなく、前・後記の趣旨に照らし合わせて設計変更することは、何れも本発明の技術的範囲に含まれるものである。
【００６４】
＜４−１．試験概要＞
（試験環境）
試験環境としては、幅：２２５０ｃｍ、奥行き：３５００ｃｍ、天井高さ：２４００ｃｍ、床面積：１８．９ｍ2 、室内容積：７８．７５ｍ3 の試験スペースにて実施した。
（試験条件）
試験条件としては、図１２に示すように、試験スペースにおいて、本装置を出入り口側の壁際中央に設置し、さらに装置から離間するように左右壁際及び装置正面の合計９箇所（床面より１ｍの高さ）にそれぞれ測定器を設置した状態で本装置又は従来装置の運転を開始し、運転開始後、４時間経過した時点での陰イオン及び陽イオンのイオン濃度測定を実施した。
（使用する測定器の仕様及び測定位置）
使用する測定器としては、下記の測定器を使用した。
・測定器名：イオン空気カウンター  ＩＴＣ−２０１Ａ（アンデス電気株式会社製）
・測定方式：イオン移動度概算方式
・測定範囲：１０〜１２３６０００個／ｃｃ
・測定位置：本装置より１ｍ、２ｍ、３．２ｍ離間した位置であって、左壁際に３箇所、右壁際に３箇所、装置正面となる部屋中央に３箇所の計９箇所
（比較対象）
比較対象として、特許文献３に開示される空気清浄機（従来装置）を用いた。
【００６５】
上記試験条件における本装置と従来装置との陰イオン及び陽イオンの測定結果は以下の通りである。
【００６６】
（従来装置）
・運転開始より４時間経過後の水消費量：６４０ｃｃ
・１時間当たりの水消費量及びミスト噴射量：１６０ｃｃ
・運転開始前の試験スペースの室内環境条件：温度２５℃、湿度４４％
・運転開始後の試験スペースの室内環境条件：温度２３℃、湿度６０％
【表１】
2013185765.tif 000003
【００６７】
（本装置）
・運転開始より４時間経過後の水消費量：７６０ｃｃ
・１時間当たりの水消費量及びミスト噴射量：１９０ｃｃ
・運転開始前の試験スペースの室内環境条件：温度２５℃、湿度４５％
・運転開始後の試験スペースの室内環境条件：温度２２℃、湿度６３％
【表２】
2013185765.tif 000004
【００６８】
上記表１、２に示すように、本装置によるミストが従来装置に比べてさらに微細化されたことにより、試験対象のスペース内における陰イオン及び陽イオンのイオン濃度は従来装置に比べて多く、またミスト噴射量も従来装置に比べて多く室内に噴射されていることが確認された。
【符号の説明】
【００６９】
１…イオンミスト加湿装置（１ａ…操作設定部、１ｂ…表示部、１ｃ…報知部、１ｄ…記憶部、１ｅ…制御部、１ｆ…計時部）
２…第１噴射口
３…第２噴射口
４…第３噴射口
５…ミスト用ダクト（５Ａ…ダクト本体、５Ｂ…板状部材、５Ｃ…設置部材、５Ｄ…邪魔板（５Ｄａ…側壁側邪魔板、５Ｄｂ…中央側邪魔板）、５Ｅ…滴下穴、５Ｆ…水回収機構、５Ｇ…仕切板）
６…水供給機構（６ａ…水タンク、６ｂ…給水ポンプ、６ｃ…水供給流路）
７…オゾン用ダクト
８…送風手段（８ａ…第１送風手段、８ｂ…第２送風手段、８ｃ…ルーバー装置）
９…空気導入部（９ａ…空気導入路、９ｂ…空気導入口）
１０…陰イオン発生部
１１…陰イオン用直流高圧電源部
１２…陰イオン発生体
１３…陰イオン用電極針
２０…陽イオン発生部
２１…陽イオン用直流高圧電源部
２２…陽イオン発生体
２３…陽イオン用電極針
３０…オゾン発生部
３１…オゾン用交流高圧電源部
３２…誘導電極部
３３…沿面放電電極部
３４…絶縁体
３５…オゾン発生体
３６…オゾン輸送ポンプ
４０…ミスト発生部
４１…超音波振動子
５０…空気清浄機構
６０…状態検出センサ（６０ａ…陰イオンセンサ、６０ｂ…陽イオンセンサ、６０ｃ…オゾンセンサ、６０ｄ…湿度センサ）
【図１】
2013185765.tif 000005
【図２】
2013185765.tif 000006
【図３】
2013185765.tif 000007
【図４】
2013185765.tif 000008
【図５】
2013185765.tif 000009
【図６】
2013185765.tif 000010
【図７】
2013185765.tif 000011
【図８】
2013185765.tif 000012
【図９】
2013185765.tif 000013
【図１０】
2013185765.tif 000014
【図１１】
2013185765.tif 000015
【図１２】
2013185765.tif 000016